(57)【要約】【課題】  微細構成素子印刷部よりなる文字を表示した潜像を確実に形成する。【解決手段】  基紙１の表面に微細構成素子印刷部２よりなる文字を表示した潜像３をインキを用いて印刷し、前記微細構成素子印刷部２を全体平面が丸型の異形形状により形成する。前記微細構成素子印刷部２を全体平面が丸型本体部に切り欠き部７を形成する。カモフラージュの点で網点印刷部５、すなわち平網との相性がよくなり、複写時の潜像３の発現、カモフラージュ効果を高めることができる。また、背景部の網点印刷部５、すなわち平網を７〜１３％程度と薄くすることができ、帳票などにおける印刷部12や筆記部の視認性を向上することができる。【選択図】図１
0003113309.tif 000002
【実用新案登録請求の範囲】
【請求項１】
基紙表面に微細構成素子印刷部よりなる文字を表示した潜像を印刷した複写防止模様を有する印刷物において、前記微細構成素子印刷部を全体平面が丸型の異形形状により形成したことを特徴とする複写防止模様を有する印刷物。
【請求項２】
前記微細構成素子印刷部を全体平面が丸型本体部に切り欠き部を形成したことを特徴とする請求項１記載の複写防止模様を有する印刷物。
【請求項３】
前記切り欠き部は前記丸型本体部の中心に放射状に形成されていると共に、該切り欠き部は前記中心に点対称に複数形成されていることを特徴とする請求項２記載の複写防止模様を有する印刷物。
【請求項４】
前記切り欠き部は前記中心に点対称に２箇所形成され、該切り欠き部の中心角度を４０〜８０度に形成したことを特徴とする請求項３記載の複写防止模様を有する印刷物。
【請求項５】
隣接する微細構成素子印刷部の前記切り欠き部相互がほぼ平行に配置されることを特徴とする請求項２〜４のいずれか１項に記載の複写防止模様を有する印刷物。
【請求項６】
前記潜像以外の余白部に前記潜像より粗または密の網点印刷部を形成したことを特徴とする請求項１〜５のいずれか１項に記載の複写防止模様を有する印刷物。
【請求項７】
前記微細構成素子印刷部を、ＣＩＥ  Ｌ*ａ*ｂ*（エルスター、エースター、ビースター）色度図において、明るさ（Ｌｉｇｈｔｎｅｓｓ）値が５０以下であることを特徴とする請求項１〜６のいずれか１項に記載の複写防止模様を有する印刷物。
【請求項８】
前記微細構成素子印刷部の最大幅が０．１８〜０．２２ｍｍであることを特徴とする請求項１〜７のいずれか１項に記載の複写防止模様を有する印刷物。
【考案の詳細な説明】
【技術分野】
【０００１】
本考案は、偽造、変造防止を必要とする印刷物において、複写機により複写した場合に、潜像による模様を発現させる複写防止模様を有する印刷物に関するものである。
【背景技術】
【０００２】
従来、この種のものとして基紙表面にインクを用いて微細構成素子よりなる潜像を印刷し、該潜像以外の余白に前記潜像より粗または密の網点で印刷を施し、前記微細構成素子は平面が円形をなした潜像入り印刷物が公知である（例えば、特許文献１）。
【特許文献１】特開昭５７−２０３９５号公報
【考案の開示】
【考案が解決しようとする課題】
【０００３】
しかし、従来技術においては潜像を形成する微細構成素子印刷部は平面が円形であり、そして潜像以外の余白部に前記潜像より粗または密の網点で形成するので、微細構成素子印刷部と網点との差、すなわち直径の差を比較的大きくしないと潜像を形成することができなくなる。このため印刷物を視認したときに微細構成素子印刷部と網点とを判別できてしまい、この結果潜像を形成しにくくなるという問題があった。
【０００４】
解決しようとする問題点は、微細構成素子印刷部よりなる文字を表示した潜像を確実に形成する点である。
【課題を解決するための手段】
【０００５】
請求項１の考案は、基紙表面に微細構成素子印刷部よりなる文字を表示した潜像を印刷した複写防止模様を有する印刷物において、前記微細構成素子印刷部を全体平面が丸型の異形形状により形成したことを特徴とする複写防止模様を有する印刷物である。
【０００６】
請求項２の考案は、前記微細構成素子印刷部を全体平面が丸型本体部に切り欠き部を形成したことを特徴とする請求項１記載の複写防止模様を有する印刷物である。
【０００７】
請求項３の考案は、前記切り欠き部は前記丸型本体部の中心に放射状に形成されていると共に、該切り欠き部は前記中心に点対称に複数形成されていることを特徴とする請求項２記載の複写防止模様を有する印刷物である。
【０００８】
請求項４の考案は、前記切り欠き部は前記中心に点対称に２箇所形成され、該切り欠き部の中心角度を４０〜８０度に形成したことを特徴とする請求項３記載の複写防止模様を有する印刷物である。
【０００９】
請求項５の考案は、隣接する微細構成素子印刷部の前記切り欠き部相互がほぼ平行に配置されることを特徴とする請求項２〜４のいずれか１項に記載の複写防止模様を有する印刷物である。
【００１０】
請求項６の考案は、前記潜像以外の余白部に前記潜像より粗または密の網点印刷部を形成したことを特徴とする請求項１〜５のいずれか１項に記載の複写防止模様を有する印刷物である。
【００１１】
請求項７の考案は、前記微細構成素子印刷部を、ＣＩＥ  Ｌ*ａ*ｂ*（エルスター、エースター、ビースター）色度図において、明るさ（Ｌｉｇｈｔｎｅｓｓ）値が５０以下であることを特徴とする請求項１〜６のいずれか１項に記載の複写防止模様を有する印刷物である。
【００１２】
請求項８の考案は、前記微細構成素子印刷部の最大幅が０．１８〜０．２２ｍｍであることを特徴とする請求項１〜７のいずれか１項に記載の複写防止模様を有する印刷物である。
【考案の効果】
【００１３】
請求項１の考案によれば、複写時の潜像の発現、カモフラージュ効果を高めることができる。
【００１４】
請求項２の考案によれば、帳票などにおける印刷部や筆記部の視認性を向上することができる。
【００１５】
請求項３の考案によれば、前記丸型本体部における余白部の配置を分散でき、微細構成素子印刷部の直径を可及的に大きくすることができる。
【００１６】
請求項４の考案によれば、適性大きさの余白部を配置でき、微細構成素子印刷部の直径を可及的にいっそう大きくすることができる。
【００１７】
請求項５の考案によれば、切り欠き部による余白部の配置を同一方向に配置して、カモフラージュ性を向上することができる。
【００１８】
請求項６の考案によれば、微細構成素子印刷部を網点印刷部によりいっそうカモフラージュすることができる。
【００１９】
請求項７の考案によれば、基紙の表面と微細構成素子印刷部とのコントラストによって、複写時の潜像の発現をいっそう高めることができる。
【００２０】
請求項８の考案によれば、微細構成素子印刷部の最大幅が０．１８〜０．２２ｍｍとすることで、大きさほぼ１００％の複写時の潜像の発現、カモフラージュ効果を確実に高めることができる。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１〜３は実施例１を示しており、基紙１の白色系表面に微細構成素子印刷部２よりなる「ＣＯＰＹ  複写」という内容の潜像３を黒色系インクを用いて印刷しており、該潜像３以外の余白４に前記潜像３より密の網点印刷部５が黒色系インクを用いて形成されている。そして、基紙1の表面を白色系とし前記微細構成素子印刷部2を、ＣＩＥ  Ｌ*ａ*ｂ*（エルスター、エースター、ビースター）色度図において、明るさ（Ｌｉｇｈｔｎｅｓｓ）値が５０以下としている。尚、ＣＩＥ  Ｌ*ａ*ｂ*（表面系）色度図は、現在塗装や染色業界など表面色の管理に最も便利よく扱われ、ＪＩＳにも制定されている。
【００２３】
前記微細構成素子印刷部２は、全体平面が丸型本体部６に切り欠き部７を形成して全体平面が丸型の異形形状により形成したものであって、前記切り欠き部７は前記丸型本体部６の中心８に放射状に形成されていると共に、該切り欠き部７は前記中心８に点対称に２箇所形成されている。そして切り欠き部７の中心角度Ａを４０〜８０度に形成している。例えば微細構成素子印刷部２の最大幅たる直径Ｄは０．１８〜０．２２ｍｍ、中心８の間隔Ｌは０.４ｍｍである。
【００２４】
さらに前記潜像３以外の余白部４に前記潜像３より密、すなわち直径ｄを前記直径Ｄよりも小さく形成した（ｄ＜Ｄ）前記網点印刷部５を形成している。この網点印刷部５は平網等と称せられており、占有面積を７〜１３％程度としている。
【００２５】
次に前記構成についてその作用を説明する。潜像３等が形成された基紙１の表面に文字や数字など金額等各種情報の印刷部12がなされる。実施例では印刷部12として「い」を表示している。そして複写機（図示せず）による複写によって複写した場合に、図３に示すように印刷部12が複写されると共に、「ＣＯＰＹ  複写」という潜像３が複写紙13上に発現する。この発現は微細構成素子印刷部２における切り欠き部７が複写時において再現できないため、塗りつぶされて濃く再現されるものである。一方、余白部４においては、潜像３より密な網点印刷部５を形成しているので、複写は解像力が追い付き難くなり、潜像３の背景部は薄く再現される。
【００２６】
以上のように、前記実施例では請求項１に対応して基紙１の表面に微細構成素子印刷部２よりなる文字を表示した潜像３をインキを用いて印刷し、前記微細構成素子印刷部２を全体平面が丸型の異形形状により形成したことにより、カモフラージュの点で網点印刷部５、すなわち平網との相性がよくなり、複写時の潜像３の発現、カモフラージュ効果を高めることができる。
【００２７】
また、前記実施例では請求項２に対応して前記微細構成素子印刷部２を全体平面が丸型本体部に切り欠き部７を形成したことで、背景部の網点印刷部５、すなわち平網を７〜１３％程度と薄くすることができ、帳票などにおける印刷部12や筆記部の視認性を向上することができる。
【００２８】
さらに、前記実施例では請求項３に対応して前記切り欠き部７は前記中心８に点対称に２箇所形成され、該切り欠き部７の中心角度を４０〜８０度に形成したことを特徴とする請求項３記載の複写防止模様を有する印刷物。前記切り欠き部７は前記丸型本体部６の中心８に放射状に形成されていると共に、該切り欠き部７は前記中心８に点対称に複数形成されていることで、前記丸型本体部６における余白部の配置を分散でき、微細構成素子印刷部２の直径Ｄを可及的に大きくすることができる。
【００２９】
また、前記実施例では請求項４に対応して前記切り欠き部７の中心角度Ａを４０〜８０度に形成したことで、切り欠き部７による適性大きさの余白部を配置でき、微細構成素子印刷部２の直径Ｄを可及的にいっそう大きくすることができる。尚、中心角度Ａが４０度より小さいときや、中心角度Ａが８０度より大きいと、適性大きさの余白部を配置できなくなる。
【００３０】
さらに、前記実施例では請求項５に対応して隣接する微細構成素子印刷部２の前記切り欠き部７相互がほぼ平行に配置されることで、切り欠き部７による余白部の配置を同一方向に配置して、カモフラージュ性を向上することができる。
【００３１】
しかも、請求項６に対応して前記潜像３以外の余白部４に前記潜像３より密の網点印刷部５を形成したことで、微細構成素子印刷部２を網点印刷部５によりいっそうカモフラージュすることができる。
【００３２】
また、請求項７に対応して、前記微細構成素子印刷部２を、ＣＩＥ  Ｌ*ａ*ｂ*（エルスター、エースター、ビースター）色度図において、明るさ（Ｌｉｇｈｔｎｅｓｓ）値が５０以下とすることで、基紙１の表面と微細構成素子印刷部２とのコントラストによって、複写時の潜像の発現をいっそう高めることができる。尚、微細構成素子印刷部をＣＩＥ  Ｌ*ａ*ｂ*の明るさ値が５０より大きいと基紙１の表面と微細構成素子印刷部２とのコントラストによって複写時の潜像の発現、カモフラージュ効果を高めることができなくなる。
【００３３】
しかも、微細構成素子印刷部２の最大幅である直径Ｄを０．１８〜０．２２ｍｍとしたことにより、大きさほぼ１００％の複写時の潜像の発現、カモフラージュ効果を確実に高めることができる。
【実施例２】
【００３４】
図４〜図６は実施例２を示しており、前記実施例１と同一部分には同一符号を付し、その詳細な説明を省略する。
【００３５】
実施例２においては、基紙１の白色系表面に微細構成素子印刷部２よりなる潜像３を黒色系インクを用いて印刷しており、該潜像３以外の余白４に前記潜像３より密の網点印刷部５が黒色系インクを用いて形成されている。そして、余白４には白抜き部14を形成したものである。この白抜き部14は、直線状に配置されるものであって、一方向に向う場合や交差するように二方向に向うようにする。尚、白抜き部14に替えて模様部（図示せず）を設けてもよい。
【００３６】
次に前記構成についてその作用を説明する。潜像３等が形成された基紙１の表面に文字や数字など金額等各種情報の印刷部12がなされる。そして複写機（図示せず）による複写した場合に、図６に示すように印刷部12が複写されると共に、「ＣＯＰＹ  複写」という潜像３が複写紙13上に発現する。この発現は微細構成素子印刷部２における切り欠き部７が複写時において再現できないため、塗りつぶされて濃く再現されるものである。一方、余白部４においては、潜像３より密な網点印刷部５を形成していると共に白抜き部14を形成しているので、複写は解像力がいっそう追い付き難くなり、潜像３の背景部は薄く再現される。
【００３７】
以上のように、前記実施例では実施例１と同様に複写時の潜像３の発現、カモフラージュ効果等を高めることができる。
【産業上の利用可能性】
【００３８】
以上のように本考案にかかる複写防止模様を有する印刷物は種々の用途に適用できる。例えば、実施例２では白抜き部を形成したものを示したが、白抜き以外に１色追加のカモフラージュを設けてもよい。
【図面の簡単な説明】
【００３９】
【図１】本考案の実施例１を示す平面図である。
【図２】本考案の実施例１を示す断面図である。
【図３】本考案の実施例１を示す複写紙の平面図である。
【図４】本考案の実施例１を示す平面図である。
【図５】本考案の実施例１を示す断面図である。
【図６】本考案の実施例１を示す複写紙の平面図である。
【符号の説明】
【００４０】
１  基紙
２  微細構成素子印刷部
３  潜像
４  余白部
５  網点印刷部
６  丸型本体部
７  切り欠き部
８  中心
14  白抜き部
Ａ  中心角度
【図１】
0003113309.tif 000003
【図２】
0003113309.tif 000004
【図３】
0003113309.tif 000005
【図４】
0003113309.tif 000006
【図５】
0003113309.tif 000007
【図６】
0003113309.tif 000008
【手続補正書】
【提出日】平成17年3月4日(2005.3.4)
【手続補正１】
【補正対象書類名】実用新案登録請求の範囲
【補正対象項目名】全文
【補正方法】変更
【補正の内容】
【実用新案登録請求の範囲】
【請求項１】
基紙表面に微細構成素子印刷部よりなる文字を表示した潜像を印刷した複写防止模様を有する印刷物において、前記微細構成素子印刷部を全体平面が丸型の丸型本体部に切り欠き部を形成したことを特徴とする複写防止模様を有する印刷物。
【請求項２】
前記切り欠き部は前記丸型本体部の中心に放射状に形成されていると共に、該切り欠き部は前記中心に点対称に複数形成されていることを特徴とする請求項１記載の複写防止模様を有する印刷物。
【請求項３】
前記切り欠き部は前記中心に点対称に２箇所形成され、該切り欠き部の中心角度を４０〜８０度に形成したことを特徴とする請求項２記載の複写防止模様を有する印刷物。
【請求項４】
隣接する微細構成素子印刷部の前記切り欠き部相互がほぼ平行に配置されることを特徴とする請求項１〜３のいずれか１項に記載の複写防止模様を有する印刷物。
【請求項５】
前記潜像以外の余白部に前記潜像より粗または密の網点印刷部を形成したことを特徴とする請求項１〜４のいずれか１項に記載の複写防止模様を有する印刷物。
【請求項６】
前記微細構成素子印刷部を、ＣＩＥ  Ｌ*ａ*ｂ*（エルスター、エースター、ビースター）色度図において、明るさ（Ｌｉｇｈｔｎｅｓｓ）値が５０以下であることを特徴とする請求項１〜５のいずれか１項に記載の複写防止模様を有する印刷物。
【請求項７】
前記微細構成素子印刷部の最大幅が０．１８〜０．２２ｍｍであることを特徴とする請求項１〜６のいずれか１項に記載の複写防止模様を有する印刷物。
【手続補正２】
【補正対象書類名】明細書
【補正対象項目名】全文
【補正方法】変更
【補正の内容】
【考案の詳細な説明】
【技術分野】
【０００１】
本考案は、偽造、変造防止を必要とする印刷物において、複写機により複写した場合に、潜像による模様を発現させる複写防止模様を有する印刷物に関するものである。
【背景技術】
【０００２】
従来、この種のものとして基紙表面にインクを用いて微細構成素子よりなる潜像を印刷し、該潜像以外の余白に前記潜像より粗または密の網点で印刷を施し、前記微細構成素子は平面が円形をなした潜像入り印刷物が公知である（例えば、特許文献１）。
【特許文献１】特開昭５７−２０３９５号公報
【考案の開示】
【考案が解決しようとする課題】
【０００３】
しかし、従来技術においては潜像を形成する微細構成素子印刷部は平面が円形であり、そして潜像以外の余白部に前記潜像より粗または密の網点で形成するので、微細構成素子印刷部と網点との差、すなわち直径の差を比較的大きくしないと潜像を形成することができなくなる。このため印刷物を視認したときに微細構成素子印刷部と網点とを判別できてしまい、この結果潜像を形成しにくくなるという問題があった。
【０００４】
解決しようとする問題点は、微細構成素子印刷部よりなる文字を表示した潜像を確実に形成する点である。
【課題を解決するための手段】
【０００５】
請求項１の考案は、基紙表面に微細構成素子印刷部よりなる文字を表示した潜像を印刷した複写防止模様を有する印刷物において、前記微細構成素子印刷部を全体平面が丸型の丸型本体部に切り欠き部を形成したことを特徴とする複写防止模様を有する印刷物である。
【０００６】
請求項２の考案は、前記切り欠き部は前記丸型本体部の中心に放射状に形成されていると共に、該切り欠き部は前記中心に点対称に複数形成されていることを特徴とする請求項１記載の複写防止模様を有する印刷物である。
【０００７】
請求項３の考案は、前記切り欠き部は前記中心に点対称に２箇所形成され、該切り欠き部の中心角度を４０〜８０度に形成したことを特徴とする請求項２記載の複写防止模様を有する印刷物である。
【０００８】
請求項４の考案は、隣接する微細構成素子印刷部の前記切り欠き部相互がほぼ平行に配置されることを特徴とする請求項１〜３のいずれか１項に記載の複写防止模様を有する印刷物である。
【０００９】
請求項５の考案は、前記潜像以外の余白部に前記潜像より粗または密の網点印刷部を形成したことを特徴とする請求項１〜４のいずれか１項に記載の複写防止模様を有する印刷物である。
【００１０】
請求項６の考案は、前記微細構成素子印刷部を、ＣＩＥ  Ｌ*ａ*ｂ*（エルスター、エースター、ビースター）色度図において、明るさ（Ｌｉｇｈｔｎｅｓｓ）値が５０以下であることを特徴とする請求項１〜５のいずれか１項に記載の複写防止模様を有する印刷物である。
【００１１】
請求項７の考案は、前記微細構成素子印刷部の最大幅が０．１８〜０．２２ｍｍであることを特徴とする請求項１〜６のいずれか１項に記載の複写防止模様を有する印刷物である。
【考案の効果】
【００１２】
請求項１の考案によれば、複写時の潜像の発現、カモフラージュ効果を高めることができる。
【００１３】
請求項２の考案によれば、前記丸型本体部における余白部の配置を分散でき、微細構成素子印刷部の直径を可及的に大きくすることができる。
【００１４】
請求項３の考案によれば、適性大きさの余白部を配置でき、微細構成素子印刷部の直径を可及的にいっそう大きくすることができる。
【００１５】
請求項４の考案によれば、切り欠き部による余白部の配置を同一方向に配置して、カモフラージュ性を向上することができる。
【００１６】
請求項５の考案によれば、微細構成素子印刷部を網点印刷部によりいっそうカモフラージュすることができる。
【００１７】
請求項６の考案によれば、基紙の表面と微細構成素子印刷部とのコントラストによって、複写時の潜像の発現をいっそう高めることができる。
【００１８】
請求項７の考案によれば、微細構成素子印刷部の最大幅が０．１８〜０．２２ｍｍとすることで、大きさほぼ１００％の複写時の潜像の発現、カモフラージュ効果を確実に高めることができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜３は実施例１を示しており、基紙１の白色系表面に微細構成素子印刷部２よりなる「ＣＯＰＹ  複写」という内容の潜像３を黒色系インクを用いて印刷しており、該潜像３以外の余白４に前記潜像３より密の網点印刷部５が黒色系インクを用いて形成されている。そして、基紙1の表面を白色系とし前記微細構成素子印刷部2を、ＣＩＥ  Ｌ*ａ*ｂ*（エルスター、エースター、ビースター）色度図において、明るさ（Ｌｉｇｈｔｎｅｓｓ）値が５０以下としている。尚、ＣＩＥ  Ｌ*ａ*ｂ*（表面系）色度図は、現在塗装や染色業界など表面色の管理に最も便利よく扱われ、ＪＩＳにも制定されている。
【００２１】
前記微細構成素子印刷部２は、全体平面が丸型本体部６に切り欠き部７を形成して全体平面が丸型の異形形状により形成したものであって、前記切り欠き部７は前記丸型本体部６の中心８に放射状に形成されていると共に、該切り欠き部７は前記中心８に点対称に２箇所形成されている。そして切り欠き部７の中心角度Ａを４０〜８０度に形成している。例えば微細構成素子印刷部２の最大幅たる直径Ｄは０．１８〜０．２２ｍｍ、中心８の間隔Ｌは０.４ｍｍである。
【００２２】
さらに前記潜像３以外の余白部４に前記潜像３より密、すなわち直径ｄを前記直径Ｄよりも小さく形成した（ｄ＜Ｄ）前記網点印刷部５を形成している。この網点印刷部５は平網等と称せられており、占有面積を７〜１３％程度としている。
【００２３】
次に前記構成についてその作用を説明する。潜像３等が形成された基紙１の表面に文字や数字など金額等各種情報の印刷部12がなされる。実施例では印刷部12として「い」を表示している。そして複写機（図示せず）による複写によって複写した場合に、図３に示すように印刷部12が複写されると共に、「ＣＯＰＹ  複写」という潜像３が複写紙13上に発現する。この発現は微細構成素子印刷部２における切り欠き部７が複写時において再現できないため、塗りつぶされて濃く再現されるものである。一方、余白部４においては、潜像３より密な網点印刷部５を形成しているので、複写は解像力が追い付き難くなり、潜像３の背景部は薄く再現される。
【００２４】
以上のように、前記実施例では請求項１に対応して基紙１の表面に微細構成素子印刷部２よりなる文字を表示した潜像３をインキを用いて印刷し、前記微細構成素子印刷部２を全体平面が丸型の丸型本体部６に切り欠き部７を形成したことにより、カモフラージュの点で網点印刷部５、すなわち平網との相性がよくなり、複写時の潜像３の発現、カモフラージュ効果を高めることができる。
【００２５】
また、前記実施例では請求項１に対応して前記微細構成素子印刷部２を全体平面が丸型本体部６に切り欠き部７を形成したことで、背景部の網点印刷部５、すなわち平網を７〜１３％程度と薄くすることができ、帳票などにおける印刷部12や筆記部の視認性を向上することができる。
【００２６】
さらに、前記実施例では請求項２に対応して前記切り欠き部７は前記丸型本体部６の中心８に放射状に形成されていると共に、該切り欠き部７は前記中心８に点対称に複数形成されていることで、前記丸型本体部６における余白部の配置を分散でき、微細構成素子印刷部２の直径Ｄを可及的に大きくすることができる。
【００２７】
また、前記実施例では請求項３に対応して前記切り欠き部７の中心角度Ａを４０〜８０度に形成したことで、切り欠き部７による適性大きさの余白部を配置でき、微細構成素子印刷部２の直径Ｄを可及的にいっそう大きくすることができる。尚、中心角度Ａが４０度より小さいときや、中心角度Ａが８０度より大きいと、適性大きさの余白部を配置できなくなる。
【００２８】
さらに、前記実施例では請求項４に対応して隣接する微細構成素子印刷部２の前記切り欠き部７相互がほぼ平行に配置されることで、切り欠き部７による余白部の配置を同一方向に配置して、カモフラージュ性を向上することができる。
【００２９】
しかも、請求項５に対応して前記潜像３以外の余白部４に前記潜像３より密の網点印刷部５を形成したことで、微細構成素子印刷部２を網点印刷部５によりいっそうカモフラージュすることができる。
【００３０】
また、請求項６に対応して、前記微細構成素子印刷部２を、ＣＩＥ  Ｌ*ａ*ｂ*（エルスター、エースター、ビースター）色度図において、明るさ（Ｌｉｇｈｔｎｅｓｓ）値が５０以下とすることで、基紙１の表面と微細構成素子印刷部２とのコントラストによって、複写時の潜像の発現をいっそう高めることができる。尚、微細構成素子印刷部をＣＩＥ  Ｌ*ａ*ｂ*の明るさ値が５０より大きいと基紙１の表面と微細構成素子印刷部２とのコントラストによって複写時の潜像の発現、カモフラージュ効果を高めることができなくなる。
【００３１】
しかも、請求項７に対応して、微細構成素子印刷部２の最大幅である直径Ｄを０．１８〜０．２２ｍｍとしたことにより、大きさほぼ１００％の複写時の潜像の発現、カモフラージュ効果を確実に高めることができる。
【実施例２】
【００３２】
図４〜図６は実施例２を示しており、前記実施例１と同一部分には同一符号を付し、その詳細な説明を省略する。
【００３３】
実施例２においては、基紙１の白色系表面に微細構成素子印刷部２よりなる潜像３を黒色系インクを用いて印刷しており、該潜像３以外の余白４に前記潜像３より密の網点印刷部５が黒色系インクを用いて形成されている。そして、余白４には白抜き部14を形成したものである。この白抜き部14は、直線状に配置されるものであって、一方向に向う場合や交差するように二方向に向うようにする。尚、白抜き部14に替えて模様部（図示せず）を設けてもよい。
【００３４】
次に前記構成についてその作用を説明する。潜像３等が形成された基紙１の表面に文字や数字など金額等各種情報の印刷部12がなされる。そして複写機（図示せず）による複写した場合に、図６に示すように印刷部12が複写されると共に、「ＣＯＰＹ  複写」という潜像３が複写紙13上に発現する。この発現は微細構成素子印刷部２における切り欠き部７が複写時において再現できないため、塗りつぶされて濃く再現されるものである。一方、余白部４においては、潜像３より密な網点印刷部５を形成していると共に白抜き部14を形成しているので、複写は解像力がいっそう追い付き難くなり、潜像３の背景部は薄く再現される。
【００３５】
以上のように、前記実施例では実施例１と同様に複写時の潜像３の発現、カモフラージュ効果等を高めることができる。
【産業上の利用可能性】
【００３６】
以上のように本考案にかかる複写防止模様を有する印刷物は種々の用途に適用できる。例えば、実施例２では白抜き部を形成したものを示したが、白抜き以外に１色追加のカモフラージュを設けてもよい。
【図面の簡単な説明】
【００３７】
【図１】本考案の実施例１を示す平面図である。
【図２】本考案の実施例１を示す断面図である。
【図３】本考案の実施例１を示す複写紙の平面図である。
【図４】本考案の実施例２を示す平面図である。
【図５】本考案の実施例２を示す断面図である。
【図６】本考案の実施例２を示す複写紙の平面図である。
【符号の説明】
【００３８】
１  基紙
２  微細構成素子印刷部
３  潜像
４  余白部
５  網点印刷部
６  丸型本体部
７  切り欠き部
８  中心
14  白抜き部
Ａ  中心角度
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
紙表面に微細構成素子印刷部よりなる文字を表示した潜像を印刷した複写防止模様を有する印刷物において、前記微細構成素子印刷部は、全体平面が丸型の丸型本体部に切り欠き部を形成したことを特徴とする複写防止模様を有する印刷物。
【請求項２】
前記切り欠き部は前記丸型本体部の中心に放射状に形成されていると共に、該切り欠き部は前記中心に点対称に複数形成されていることを特徴とする請求項１記載の複写防止模様を有する印刷物。
【請求項３】
前記切り欠き部は前記中心に点対称に２箇所形成され、該切り欠き部の中心角度を４０〜８０度に形成したことを特徴とする請求項２記載の複写防止模様を有する印刷物。
【請求項４】
隣接する微細構成素子印刷部の前記切り欠き部相互がほぼ平行に配置されることを特徴とする請求項１〜３のいずれか１項に記載の複写防止模様を有する印刷物。
【請求項５】
前記潜像以外の余白部に前記潜像より粗または密の網点印刷部を形成したことを特徴とする請求項１〜４のいずれか１項に記載の複写防止模様を有する印刷物。
【請求項６】
前記微細構成素子印刷部を、ＣＩＥ  Ｌ＊ａ＊ｂ＊（エルスター、エースター、ビースター）色度図において、明るさ（Ｌｉｇｈｔｎｅｓｓ）値が５０以下であることを特徴とする請求項１〜５のいずれか１項に記載の複写防止模様を有する印刷物。
【請求項７】
前記微細構成素子印刷部の最大幅が０．１８〜０．２２ｍｍであることを特徴とする請求項１〜６のいずれか１項に記載の複写防止模様を有する印刷物。
【手続補正２】
【補正対象書類名】明細書
【補正対象項目名】全文
【補正方法】変更
【補正の内容】
【考案の詳細な説明】
【技術分野】
【０００１】
本考案は、偽造、変造防止を必要とする印刷物において、複写機により複写した場合に、潜像による模様を発現させる複写防止模様を有する印刷物に関するものである。
【背景技術】
【０００２】
従来、この種のものとして基紙表面にインクを用いて微細構成素子よりなる潜像を印刷し、該潜像以外の余白に前記潜像より粗または密の網点で印刷を施し、前記微細構成素子は平面が円形をなした潜像入り印刷物が公知である（例えば、特許文献１）。
【特許文献１】特開昭５７−２０３９５号公報
【考案の開示】
【考案が解決しようとする課題】
【０００３】
しかし、従来技術においては潜像を形成する微細構成素子印刷部は平面が円形であり、そして潜像以外の余白部に前記潜像より粗または密の網点で形成するので、微細構成素子印刷部と網点との差、すなわち直径の差を比較的大きくしないと潜像を形成することができなくなる。このため印刷物を視認したときに微細構成素子印刷部と網点とを判別できてしまい、この結果潜像を形成しにくくなるという問題があった。
【０００４】
解決しようとする問題点は、微細構成素子印刷部よりなる文字を表示した潜像を確実に形成する点である。
【課題を解決するための手段】
【０００５】
請求項１の考案は、紙表面に微細構成素子印刷部よりなる文字を表示した潜像を印刷した複写防止模様を有する印刷物において、前記微細構成素子印刷部は、全体平面が丸型の丸型本体部に切り欠き部を形成したことを特徴とする複写防止模様を有する印刷物である。
【０００６】
請求項２の考案は、前記切り欠き部は前記丸型本体部の中心に放射状に形成されていると共に、該切り欠き部は前記中心に点対称に複数形成されていることを特徴とする請求項１記載の複写防止模様を有する印刷物である。
【０００７】
請求項３の考案は、前記切り欠き部は前記中心に点対称に２箇所形成され、該切り欠き部の中心角度を４０〜８０度に形成したことを特徴とする請求項２記載の複写防止模様を有する印刷物である。
【０００８】
請求項４の考案は、隣接する微細構成素子印刷部の前記切り欠き部相互がほぼ平行に配置されることを特徴とする請求項１〜３のいずれか１項に記載の複写防止模様を有する印刷物である。
【０００９】
請求項５の考案は、前記潜像以外の余白部に前記潜像より粗または密の網点印刷部を形成したことを特徴とする請求項１〜４のいずれか１項に記載の複写防止模様を有する印刷物である。
【００１０】
請求項６の考案は、前記微細構成素子印刷部を、ＣＩＥ  Ｌ＊ａ＊ｂ＊（エルスター、エースター、ビースター）色度図において、明るさ（Ｌｉｇｈｔｎｅｓｓ）値が５０以下であることを特徴とする請求項１〜５のいずれか１項に記載の複写防止模様を有する印刷物である。
【００１１】
請求項７の考案は、前記微細構成素子印刷部の最大幅が０．１８〜０．２２ｍｍであることを特徴とする請求項１〜６のいずれか１項に記載の複写防止模様を有する印刷物である。
【考案の効果】
【００１２】
請求項１の考案によれば、複写時の潜像の発現、カモフラージュ効果を高めることができる。
【００１３】
請求項２の考案によれば、前記丸型本体部における余白部の配置を分散でき、微細構成素子印刷部の直径を可及的に大きくすることができる。
【００１４】
請求項３の考案によれば、適性大きさの余白部を配置でき、微細構成素子印刷部の直径を可及的にいっそう大きくすることができる。
【００１５】
請求項４の考案によれば、切り欠き部による余白部の配置を同一方向に配置して、カモフラージュ性を向上することができる。
【００１６】
請求項５の考案によれば、微細構成素子印刷部を網点印刷部によりいっそうカモフラージュすることができる。
【００１７】
請求項６の考案によれば、基紙の表面と微細構成素子印刷部とのコントラストによって、複写時の潜像の発現をいっそう高めることができる。
【００１８】
請求項７の考案によれば、微細構成素子印刷部の最大幅が０．１８〜０．２２ｍｍとすることで、大きさほぼ１００％の複写時の潜像の発現、カモフラージュ効果を確実に高めることができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜３は実施例１を示しており、基紙１の白色系表面に微細構成素子印刷部２よりなる「ＣＯＰＹ  複写」という内容の潜像３を黒色系インクを用いて印刷しており、該潜像３以外の余白４に前記潜像３より密の網点印刷部５が黒色系インクを用いて形成されている。そして、基紙1の表面を白色系とし前記微細構成素子印刷部2を、ＣＩＥ  Ｌ＊ａ＊ｂ＊（エルスター、エースター、ビースター）色度図において、明るさ（Ｌｉｇｈｔｎｅｓｓ）値が５０以下としている。尚、ＣＩＥ  Ｌ＊ａ＊ｂ＊（表面系）色度図は、現在塗装や染色業界など表面色の管理に最も便利よく扱われ、ＪＩＳにも制定されている。
【００２１】
前記微細構成素子印刷部２は、全体平面が丸型本体部６に切り欠き部７を形成して全体平面が丸型の異形形状により形成したものであって、前記切り欠き部７は前記丸型本体部６の中心８に放射状に形成されていると共に、該切り欠き部７は前記中心８に点対称に２箇所形成されている。そして切り欠き部７の中心角度Ａを４０〜８０度に形成している。例えば微細構成素子印刷部２の最大幅たる直径Ｄは０．１８〜０．２２ｍｍ、中心８の間隔Ｌは０.４ｍｍである。
【００２２】
さらに前記潜像３以外の余白部４に前記潜像３より密、すなわち直径ｄを前記直径Ｄよりも小さく形成した（ｄ＜Ｄ）前記網点印刷部５を形成している。この網点印刷部５は平網等と称せられており、占有面積を７〜１３％程度としている。
【００２３】
次に前記構成についてその作用を説明する。潜像３等が形成された基紙１の表面に文字や数字など金額等各種情報の印刷部12がなされる。実施例では印刷部12として「い」を表示している。そして複写機（図示せず）による複写によって複写した場合に、図３に示すように印刷部12が複写されると共に、「ＣＯＰＹ  複写」という潜像３が複写紙13上に発現する。この発現は微細構成素子印刷部２における切り欠き部７が複写時において再現できないため、塗りつぶされて濃く再現されるものである。一方、余白部４においては、潜像３より密な網点印刷部５を形成しているので、複写は解像力が追い付き難くなり、潜像３の背景部は薄く再現される。
【００２４】
以上のように、前記実施例では請求項１に対応して基紙１の表面に微細構成素子印刷部２よりなる文字を表示した潜像３をインキを用いて印刷し、前記微細構成素子印刷部２は、全体平面が丸型の丸型本体部６に切り欠き部７を形成したことにより、カモフラージュの点で網点印刷部５、すなわち平網との相性がよくなり、複写時の潜像３の発現、カモフラージュ効果を高めることができる。
【００２５】
また、前記実施例では請求項１に対応して前記微細構成素子印刷部２は、全体平面が丸型の丸型本体部６に切り欠き部７を形成したことで、背景部の網点印刷部５、すなわち平網を７〜１３％程度と薄くすることができ、帳票などにおける印刷部12や筆記部の視認性を向上することができる。
【００２６】
さらに、前記実施例では請求項２に対応して前記切り欠き部７は前記丸型本体部６の中心８に放射状に形成されていると共に、該切り欠き部７は前記中心８に点対称に複数形成されていることで、前記丸型本体部６における余白部の配置を分散でき、微細構成素子印刷部２の直径Ｄを可及的に大きくすることができる。
【００２７】
また、前記実施例では請求項３に対応して前記切り欠き部７の中心角度Ａを４０〜８０度に形成したことで、切り欠き部７による適性大きさの余白部を配置でき、微細構成素子印刷部２の直径Ｄを可及的にいっそう大きくすることができる。尚、中心角度Ａが４０度より小さいときや、中心角度Ａが８０度より大きいと、適性大きさの余白部を配置できなくなる。
【００２８】
さらに、前記実施例では請求項４に対応して隣接する微細構成素子印刷部２の前記切り欠き部７相互がほぼ平行に配置されることで、切り欠き部７による余白部の配置を同一方向に配置して、カモフラージュ性を向上することができる。
【００２９】
しかも、請求項５に対応して前記潜像３以外の余白部４に前記潜像３より密の網点印刷部５を形成したことで、微細構成素子印刷部２を網点印刷部５によりいっそうカモフラージュすることができる。
【００３０】
また、請求項６に対応して、前記微細構成素子印刷部２を、ＣＩＥ  Ｌ＊ａ＊ｂ＊（エルスター、エースター、ビースター）色度図において、明るさ（Ｌｉｇｈｔｎｅｓｓ）値が５０以下とすることで、基紙１の表面と微細構成素子印刷部２とのコントラストによって、複写時の潜像の発現をいっそう高めることができる。尚、微細構成素子印刷部をＣＩＥ  Ｌ＊ａ＊ｂ＊の明るさ値が５０より大きいと基紙１の表面と微細構成素子印刷部２とのコントラストによって複写時の潜像の発現、カモフラージュ効果を高めることができなくなる。
【００３１】
しかも、請求項７に対応して、微細構成素子印刷部２の最大幅である直径Ｄを０．１８〜０．２２ｍｍとしたことにより、大きさほぼ１００％の複写時の潜像の発現、カモフラージュ効果を確実に高めることができる。
【実施例２】
【００３２】
図４〜図６は実施例２を示しており、前記実施例１と同一部分には同一符号を付し、その詳細な説明を省略する。
【００３３】
実施例２においては、基紙１の白色系表面に微細構成素子印刷部２よりなる潜像３を黒色系インクを用いて印刷しており、該潜像３以外の余白４に前記潜像３より密の網点印刷部５が黒色系インクを用いて形成されている。そして、余白４には白抜き部14を形成したものである。この白抜き部14は、直線状に配置されるものであって、一方向に向う場合や交差するように二方向に向うようにする。尚、白抜き部14に替えて模様部（図示せず）を設けてもよい。
【００３４】
次に前記構成についてその作用を説明する。潜像３等が形成された基紙１の表面に文字や数字など金額等各種情報の印刷部12がなされる。そして複写機（図示せず）による複写した場合に、図６に示すように印刷部12が複写されると共に、「ＣＯＰＹ  複写」という潜像３が複写紙13上に発現する。この発現は微細構成素子印刷部２における切り欠き部７が複写時において再現できないため、塗りつぶされて濃く再現されるものである。一方、余白部４においては、潜像３より密な網点印刷部５を形成していると共に白抜き部14を形成しているので、複写は解像力がいっそう追い付き難くなり、潜像３の背景部は薄く再現される。
【００３５】
以上のように、前記実施例では実施例１と同様に複写時の潜像３の発現、カモフラージュ効果等を高めることができる。
【産業上の利用可能性】
【００３６】
以上のように本考案にかかる複写防止模様を有する印刷物は種々の用途に適用できる。例えば、実施例２では白抜き部を形成したものを示したが、白抜き以外に１色追加のカモフラージュを設けてもよい。
【図面の簡単な説明】
【００３７】
【図１】本考案の実施例１を示す平面図である。
【図２】本考案の実施例１を示す断面図である。
【図３】本考案の実施例１を示す複写紙の平面図である。
【図４】本考案の実施例２を示す平面図である。
【図５】本考案の実施例２を示す断面図である。
【図６】本考案の実施例２を示す複写紙の平面図である。
【符号の説明】
【００３８】
１  基紙
２  微細構成素子印刷部
３  潜像
４  余白部
５  網点印刷部
６  丸型本体部
７  切り欠き部
８  中心
14  白抜き部
Ａ  中心角度